(57)【特許請求の範囲】
【請求項１】
側縁からリード端子が突出形成された蓄電素子を複数積層してなる蓄電素子群と、
前記リード端子と接続されるとともに、外部機器と電気的に接続される端子部を有する外部接続端子と、
前記蓄電素子群を収容するとともに前記外部接続端子の端子部が配される部分が開口したケースと、
絶縁材料からなり前記ケースの開口した部分を覆うカバーと、を備え、
前記外部接続端子の端子部は導電性の板材にナットを固定することにより設けられており、前記板材の板面は前記カバーの外側面に沿って配されており、前記ナットは前記カバーのナット受け部により支持されている畜電モジュール。
【請求項２】
前記カバーは、前記端子部を挟んで取り付けられる第１カバーと第２カバーとからなる請求項１に記載の蓄電モジュール。
【請求項３】
前記端子部は前記リード端子と干渉しない位置に配される請求項１または請求項２に記載の蓄電モジュール。
【請求項４】
前記蓄電素子の、前記リード端子が形成された側縁に取り付けられる保持部材を備え、
前記保持部材の前記端子部と対応する部分には、前記端子部に接続される相手方端子を逃がす逃がし部が設けられている請求項１ないし請求項３のいずれか一項に記載の蓄電モジュール。
【請求項５】
前記外部接続端子の端子部は、前記蓄電素子の積層方向に沿う面に配されている請求項１ないし請求項４のいずれか一項に記載の蓄電モジュール。
【発明の詳細な説明】
【技術分野】
【０００１】
本発明は、蓄電モジュールに関する。
【背景技術】
【０００２】
例えば電気自動車やハイブリッド車両に搭載される蓄電モジュールは、一般に、複数の蓄電素子を直列または並列に接続することにより構成されている（例えば特許文献１を参照）。
【先行技術文献】
【特許文献】
【０００３】
【特許文献１】特開２０１４−８６２８１号公報
【発明の概要】
【発明が解決しようとする課題】
【０００４】
蓄電モジュールは、外部の他の機器等に電源を供給する役割を有しており、多くの場合、他の機器等に接続され、電源を供給する外部接続端子を備えている。
【０００５】
上記特許文献１に記載の蓄電モジュールにおいては、複数の蓄電素子を積層してなる蓄電素子群に接続された外部接続用のバスバー（外部接続端子）が、蓄電素子群を収容するケースからケース外に突出するように配されているため、外部接続用のバスバーの突出寸法分の配置スペースが必要であった。
【０００６】
本発明は、小型化した蓄電モジュールを提供することを目的とする。
【課題を解決するための手段】
【０００７】
本発明は、側縁からリード端子が突出形成された蓄電素子を複数積層してなる蓄電素子群と、前記リード端子と接続されるとともに、外部機器と電気的に接続される端子部を有する外部接続端子と、前記蓄電素子群を収容するとともに前記外部接続端子の端子部が配される部分が開口したケースと、絶縁材料からなり前記ケースの開口した部分を覆うカバーと、を備え、前記外部接続端子の端子部は導電性の板材にナットを固定することにより設けられており、前記板材の板面は前記カバーの外側面に沿って配されており、前記ナットは前記カバーのナット受け部により支持されている畜電モジュールである。
【０００８】
本発明において、外部機器と電気的に接続される外部接続端子の端子部は、蓄電素子群を収容するケースの開口した部分を覆うカバーの外側面に沿って配されるので外部接続端子の端子部はカバーから端子部の厚み分しか外側に突出しない。その結果、本発明によれば小型化した蓄電モジュールを提供することができる。
【０００９】
また、本発明によれば、外部接続端子の端子部は絶縁材料からなるカバーにより支持されているので端子部はリード端子との間で絶縁性が保持されている。
【００１０】
本発明は以下の構成であってもよい。
前記カバーは、前記端子部を挟んで取り付けられる第１カバーと第２カバーとからなる構成であってもよい。
このような構成とすると、部品点数を少なくしつつ、カバーの取り付け作業を簡易なものとすることができる。
【００１１】
前記端子部は前記リード端子と干渉しない位置に配されていてもよい。
このような構成とすると、端子部の構造を簡易なものとしつつ、端子部とリード端子との接触による短絡を防止することができる。
【００１２】
前記蓄電素子の、前記リード端子が形成された側縁に取り付けられる保持部材を備え、前記保持部材の前記端子部と対応する部分には、前記端子部に接続される相手方端子を逃がす逃がし部が設けられていてもよい。
このような構成とすると端子部に接続される相手方端子とリード端子との接触を防止することができる。
【００１３】
前記外部接続端子の端子部は、前記蓄電素子の積層方向に沿う面に配されていてもよい。  このような構成とすると、端子部が蓄電素子の積層方向に沿う面に収まる。
【発明の効果】
【００１４】
本発明によれば、小型化した蓄電モジュールを提供することができる。
【図面の簡単な説明】
【００１５】
【図１】実施形態１の蓄電モジュールの斜視図
【図２】蓄電モジュールの平面図
【図３】図２のＡ−Ａ線における断面図
【図４】図２のＢ−Ｂ線における断面図
【図５】蓄電モジュールの側面図
【図６】図５のＣ−Ｃ線における蓄電モジュールの断面図であって端子部に相手方端子を接続した状態を示す図断面図
【図７】蓄電ユニットを積層する様子を示す斜視図
【図８】蓄電素子を積層する様子を示す斜視図
【図９】蓄電素子を積層した様子を示す斜視図
【図１０】蓄電素子を積層した様子を示す平面図
【図１１】蓄電素子を積層した様子を示す側面図
【図１２】図１０のＤ−Ｄ線における断面図
【図１３】外部接続部材の端子部の断面図
【図１４】積層体にカバーを取り付ける様子を示す斜視図
【図１５】蓄電モジュールの分解斜視図
【発明を実施するための形態】
【００１６】
＜実施形態１＞
本発明の実施形態１を図１ないし図１５によって説明する。図面においては、複数の同一部材のうち一の部材にのみ符号を付し、他の同一部材については符号を省略する場合がある。以下の説明において、図２における左側を前方とし右側を後方とする。
【００１７】
本実施形態の蓄電モジュール１０は、側縁からリード端子１３が突出形成された蓄電素子１２を複数（本実施形態では、６個）積層してなる蓄電素子群１１と、リード端子１３と電気的に接続されるとともに、外部機器（図示せず）と電気的に接続される端子部１７を有する２つの外部接続端子１６と、蓄電素子群１１を収容するケース２０と、ケース２０の開口した部分（開口部分２０Ａ）を覆うカバー２５と、を備える。
【００１８】
本実施形態において、蓄電素子群１１を構成する蓄電素子１２としては、二次電池、キャパシタ、コンデンサ等、必要に応じて任意の蓄電素子１２を用いることができる。本実施形態に係る蓄電素子１２としては、二次電池が用いられている。
【００１９】
本実施形態の蓄電モジュール１０は、図７に示すように、保持部材３２が取り付けられた伝熱部材４０に蓄電素子１２を載置してなる蓄電ユニット３１を６つ積層してなる積層体３０と積層体３０を収容するケース２０と、を備える。
【００２０】
（蓄電ユニット３１）
積層体３０を構成する６つの蓄電ユニット３１は、下から順に第１蓄電ユニット３１Ａ、第２蓄電ユニット３１Ｂ、第３蓄電ユニット３１Ｃ、第４蓄電ユニット３１Ｄ、第５蓄電ユニット３１Ｅ、および第６蓄電ユニット３１Ｆである。各蓄電ユニット３１Ａ，３１Ｂ，３１Ｃ，３１Ｄ，３１Ｅ，３１Ｆは、長手方向の両端部にそれぞれ取り付けられた保持部材３２と、伝熱部材４０と、蓄電素子１２と、を備える。
【００２１】
（伝熱部材４０）
伝熱部材４０は熱伝導性材料からなる板状の部材である。本実施形態では、熱伝導性材料として、熱伝導性に優れたアルミニウムまたはアルミニウム合金が用いられる。伝熱部材４０の長手方向における両端部には、それぞれ絶縁樹脂材料からなる保持部材３２が取り付けられており、伝熱部材４０の上面には蓄電素子１２が載置される。
【００２２】
（蓄電素子１２）
蓄電素子１２は、図１０に示すように、上方から見て略長方形状をなしている。蓄電素子１２は、略長方形状をなす一対のラミネートフィルムの側縁を溶着してなる容器１４と、容器１４の内部に収容された図示しない蓄電要素と、容器１４の内部において蓄電要素に接続されると共に、容器１４の側縁から外部に導出されるリード端子１３（１３Ａ，１３Ｂ）と、を備える。本実施形態では、容器１４の一側縁（前方の側縁）から、正極リード端子１３Ａおよび負極リード端子１３Ｂが導出されている。
【００２３】
蓄電素子１２の前方の側縁においては、リード端子１３の突出端の角部が保持部材３２の蓄電素子保持部３３に嵌り込んで、蓄電素子１２の移動が規制されるようになっている。
【００２４】
本実施形態では、図８に示すように、蓄電素子１２の積層方向（図８の上下方向）において隣り合うリード端子１３Ａ，１３Ｂの端部には、端子間を接続するバスバー４１が溶接により接続されており、当該バスバー４１を介して蓄電素子１２は電気的に接続されている。また、第１蓄電ユニット３１Ａ（最下段の蓄電ユニット）の蓄電素子１２の負極リード端子１３Ｂおよび第６蓄電ユニット３１Ｆ（最上段の蓄電ユニット）の蓄電素子１２の正極リード端子１３Ａには、それぞれ、外部機器と接続される外部接続端子１６が接続されている。
【００２５】
本実施形態においては、積層方向（図３の上下方向）に重ねられた蓄電素子１２同士は、逆極性のリード端子１３Ａ，１３Ｂ同士がバスバー４１を介して接続されることにより、直列に接続されている。
【００２６】
バスバー４１は、アルミニウムまたはアルミニウム合金製であり、リード端子１３と重なり合うように配される。バスバー４１は、図１２に示すように、断面Ｕ字状をなしており、積層方向において隣り合うリード端子１３Ａ，１３Ｂと接続される２つの接続部４２が間隔をあけて上下方向に配されるようになっている。
【００２７】
第１蓄電ユニット３１Ａにおいて、蓄電素子１２の負極リード端子１３Ｂは、保持部材３２Ａに配置された外部接続端子１６（「第１外部接続端子１６Ａ」ともいう）に直接重ねられ、溶接により接合されている。また、第１蓄電ユニット３１Ａにおいて、蓄電素子１２の正極リード端子１３Ａは、図９に示すように、溶接によりバスバー４１（接続部４２）と接合されている。
【００２８】
第２蓄電ユニット３１Ｂ(下から二段目の蓄電ユニット）、第３蓄電ユニット３１Ｃ（下から三段目の蓄電ユニット）、第４蓄電ユニット３１Ｄ（下から四段目の蓄電ユニット）および第５蓄電ユニット３１Ｅ（下から五段目の蓄電ユニット）においては、蓄電素子１２の積層方向（図９の上下方向）において隣り合うリード端子１３Ａ，１３Ｂに、それぞれバスバー４１（接続部４２）が接合されている（図９を参照）。
【００２９】
第６蓄電ユニット３１Ｆ（最上段の蓄電ユニット）において、蓄電素子１２の正極リード端子１３Ａは、保持部材３２Ｄに配置された外部接続端子１６（「第２外部接続端子１６Ｂ」ともいう）に直接重ねられ溶接により接合されている（図９を参照）。また、第６蓄電ユニット３１Ｆにおいて、蓄電素子１２の負極リード端子１３Ｂは、溶接によりバスバー４１（接続部４２）と接合されている。
【００３０】
リード端子１３とバスバー４１とを接合する方法およびリード端子１３と外部接続端子１６とを接合する方法としてはレーザー溶接、超音波溶接等の方法があげられる。
【００３１】
（保持部材３２）
蓄電ユニット３１の前方に配される保持部材３２（３２Ａ，３２Ｂ，３２Ｃ）には、蓄電素子１２のリード端子１３の角部１３Ａが嵌り込む凹状の蓄電素子保持部３３が形成されている。この蓄電素子保持部３３により、リード端子１３（蓄電素子１２）は移動を規制される。
【００３２】
本実施形態では、保持部材３２として、第１保持部材３２Ａ、第２保持部材３２Ｂ、第３保持部材３２Ｃおよび第４保持部材３２Ｄを用いる。第１蓄電ユニット３１Ａを構成する２つの保持部材３２のうち、前方の保持部材３２が第１保持部材３２Ａであり、後方の保持部材３２が第４保持部材３２Ｄである。
【００３３】
第２蓄電ユニット３１Ｂ、第３蓄電ユニット３１Ｃ、第４蓄電ユニット３１Ｄおよび第５蓄電ユニット３１Ｅの前方の保持部材３２が第２保持部材３２Ｂであり、後方の保持部材３２は第４保持部材３２Ｄである。
【００３４】
第６蓄電ユニット３１Ｆを構成する２つの保持部材３２のうち、前方の保持部材３２が第３保持部材３２Ｃであり、後方の保持部材３２が第４保持部材３２Ｄである。
【００３５】
第１保持部材３２Ａ、第２保持部材３２Ｂおよび第３保持部材３２Ｃは、蓄電素子１２のリード端子１３が形成された側縁に取り付けられており、第４保持部材３２Ｄは蓄電素子１２のリード端子１３が形成されていない側縁に取り付けられている。
【００３６】
各保持部材３２Ａ，３２Ｂ，３２Ｃ，３２Ｄには、図６に示すように、伝熱部材４０が差し込まれて取り付けられる伝熱部材取付部３４が設けられている。また各保持部材３２Ａ，３２Ｂ，３２Ｃ，３２Ｄの両端部にはケース２０の蓋部２３と底部に設けた挿通孔２２，２４と対応する位置に、積層体３０をケース２０に固定する固定部材（図示せず）が挿通される固定部材挿通孔３５がそれぞれ設けられている。６つの蓄電ユニット３１を積層した状態でケース２０に収容することで、ケース２０の挿通孔２２，２４と保持部材３２Ａ，３２Ｂ，３２Ｃ，３２Ｄに設けた固定部材挿通孔３５とが１つの貫通孔３６を形成し、固定部材が挿通可能となる。
【００３７】
第２保持部材３２Ｂにおいては長方形状の溶接孔３７が２つ設けられている。溶接孔３７と重なるようにリード端子１３とバスバー４１が配され、溶接孔３７を通じてリード端子１３とバスバー４１との溶接が行われる。
【００３８】
第１保持部材３２Ａと第３保持部材３２Ｃには長方形状の溶接孔３７が１つ設けられるとともに、外部接続端子１６を保持する接続部材保持部３８が凹設されている。
【００３９】
本実施形態では、蓄電素子１２のリード端子１３が形成された側縁に取り付けられる第１保持部材３２Ａ、第２保持部材３２Ｂおよび第３保持部材３２Ｃには、図６に示すように、凹部３９が設けられている。第１保持部材３２Ａ、第２保持部材３２Ｂおよび第３保持部材３２Ｃにそれぞれ設けられた凹部３９は、外部接続端子１６の端子部１７と対応する部分に設けられ、端子部１７に接続される相手方端子１９（外部機器と蓄電モジュール１０とを電気的に接続するための端子）を逃がす逃がし部として機能する。
【００４０】
（ケース２０）
蓄電素子群１１を収容するケース２０は、熱伝導性に優れたアルミニウムまたはアルミニウム合金等の熱伝導材料からなる。ケース２０は、図１５に示すように、前方および上方が開口した収容部２１と、収容部２１の上方の開口を覆う蓋部２３と、を備える。収容部２１には、６つの蓄電ユニット３１を積層してなる積層体３０（蓄電素子群１１）が収容されている。ケース２０の前方で開口した開口部分２０Ａは外部接続端子１６の端子部１７が配される部分であり、当該開口部分２０Ａにはケース２０とは別体のカバー２５が取り付けられている。
【００４１】
収容部２１の底部および蓋部２３には、ケース２０内部方向に突出した突出部２１Ａ，２３Ａがそれぞれ設けられている。収容部２１の突出部２１Ａは第１蓄電ユニット３１Ａの伝熱部材４０と接触しており、蓋部２３の突出部２３Ａは第６蓄電ユニット３１Ｆの蓄電素子１２と接触している（図４を参照）。これによりケース２０内で発生した熱が蓋部２３の突出部２３Ａおよび収容部２１の突出部２１Ａを介してケース２０外に放出されるようになっている。
【００４２】
収容部２１の底部および蓋部２３には、上述したように、固定部材が挿通される挿通孔２２，２４が貫通して形成されている。
【００４３】
（カバー２５）
ケース２０の前方の開口部分２０Ａを覆うカバー２５は、絶縁材料からなる。カバー２５は、図１４に示すように、外部接続端子１６の端子部１７を挟んで取り付けられる第１カバー２６と第２カバー２７とからなる。第１カバー２６は図１４における上方から取り付けられるようになっており、第２カバー２７は図１４における下方から取り付けられるようになっている。
【００４４】
第１カバー２６には、第１保持部材３２Ａに保持されている第１外部接続端子１６Ａの端子部１７の後面から突出するナット部１７Ａを受け入れるナット受け部２６Ａが形成されるとともに、第２外部接続端子１６Ｂの上方に配されて第２カバー２７とともに第２外部接続端子１６Ｂを挟持する挟持片２６Ｂを有する。
【００４５】
第２カバー２７には、第３保持部材３２Ｃに保持されている第２外部接続端子１６Ｂの端子部１７の後面から突出するナット部１７Ａを受け入れるナット受け部２７Ａが形成されるとともに、第１外部接続端子１６Ａの下方に配されて第１カバー２６とともに第１外部接続端子１６Ａを挟持する挟持片２７Ｂを有する。
【００４６】
（外部接続端子１６）
外部接続端子１６は、アルミニウムまたはアルミニウム合金製であり、リード端子１３と重なり合うように配され接合される板状の端子接続部１８と、外部機器との接続のための相手方端子１９と接続される端子部１７と、を有する。
【００４７】
第１保持部材３２Ａにより保持されている第１外部接続端子１６Ａは、図８に示すように、板状の端子接続部１８と、端子接続部１８の端部から垂直上方に起立する端子部１７と、を有する。第３保持部材３２Ｃにより保持されている第２外部接続端子１６Ｂは板状の端子接続部１８と、端子接続部１８の端部から下方に垂下する端子部１７とを有する。
【００４８】
端子部１７は導電性の板材にナットを圧入することにより設けられている。端子部１７は、図９に示すように、リード端子１３と干渉しない位置に配される。端子部１７は、カバー２５の外側面２５Ａに沿って配されるとともに、当該カバー２５により支持されている。端子部１７は第１カバー２６と第２カバー２７により挟持されることで、絶縁保持されている。なお、カバー２５は、端子部２７と当接していてもよい。また、カバー２５は通常は端子部１７と離間しており、端子部１７がケース２０の内方に押されたときに端子部１７と当接してもよい。
【００４９】
（蓄電モジュール１０の組み立て方法）
第１保持部材３２Ａと第４保持部材３２Ｄとを取り付けた伝熱部材４０を１つ、第２保持部材３２Ｂと第４保持部材３２Ｄとを取り付けた伝熱部材４０を４つ、および第３保持部材３２Ｃと第４保持部材３２Ｄとを取り付けた伝熱部材４０を１つ用意する。第１保持部材３２Ａの接続部材保持部３８に第１外部接続端子１６Ａを嵌めこんでおき、第３保持部材３２Ｃの接続部材保持部３８に第２外部接続端子１６Ｂをはめ込んでおく。
【００５０】
次に、蓄電素子１２を伝熱部材４０の上に載置し、リード端子１３の角部を保持部材３２の蓄電素子保持部３３に嵌めこむと、第１保持部材３２Ａおよび第３保持部材３２Ｃにおいて、リード端子１３が外部接続端子１６の上に重ねられる。この状態において、外部接続端子１６に接続されるリード端子１３以外の各リード端子１３は溶接孔３７の上に配されている。蓄電素子１２を保持部材３２の取り付けられた伝熱部材４０に載置することにより各蓄電ユニット３１Ａ，３１Ｂ，３１Ｃ，３１Ｄ，３１Ｅ，３１Ｆが得られる。
【００５１】
第１蓄電ユニット３１Ａにおいて、第１外部接続端子１６Ａの端子接続部１８と蓄電素子１２の負極リード端子１３Ｂとを溶接により接合し、蓄電素子１２の正極リード端子１３Ａとバスバー４１とを溶接により接合する。
【００５２】
次に第１蓄電ユニット３１Ａの上に第２蓄電ユニット３１Ｂを重ねて、第１蓄電ユニット３１Ａの蓄電素子１２の正極リード端子１３Ａと接合されたバスバー４１と第２蓄電ユニット３１Ｂの蓄電素子１２の負極リード端子１３Ｂとを溶接により接合する。これと同様の作業を繰り返して６つの蓄電ユニット３１Ａ，３１Ｂ，３１Ｃ，３１Ｄ，３１Ｅ，３１Ｆを積層した後、第６の蓄電ユニット３１Ｆにおいて第２外部接続端子１６Ｂの端子接続部１８と蓄電素子１２の正極リード端子１３Ａとを溶接により接合すると図１４に示すような積層体３０が得られる。
【００５３】
この積層体３０において、外部接続端子１６の端子部１７は、蓄電素子１２の積層方向に沿う面（前面、後面、一対の側面）のうち前面に配されており、各端子部１７はリード端子１３とは干渉しない位置に配されている。
【００５４】
積層体３０の前面に第１カバー２６を上方から取り付けると、第１カバー２６のナット受け部２６Ａに第１外部接続端子１６Ａの端子部１７の後面から突出するナット部１７Ａが嵌りこみ、第１カバー２６の挟持片２６Ｂが第２外部接続端子１６Ｂの端子部１７の上側に配される。
【００５５】
積層体３０の前面に第２カバー２７を下方から取り付けると、第２カバー２７のナット受け部２７Ａに第２外部接続端子１６Ｂの端子部１７の後面から突出するナット部１７Ａが嵌りこみ、第２カバー２７の挟持片２７Ｂが第１外部接続端子１６Ａの端子部１７の下側に配される。
【００５６】
第１カバー２６と第２カバー２７とを取り付けた積層体３０を、図１５に示すように収容部２１に収容し、収容部２１の上方の開口部分２１Ｂに蓋部２３を取り付ける。すると、図１に示すように、本実施形態の蓄電モジュール１０が得られる。
【００５７】
この状態においては、外部接続端子１６の端子部１７は、図３および図４に示すように、蓄電素子群１１を収容するケース２０の開口部分２０Ａを覆うカバー２５の外側面に沿って配されるので、カバー２５から端子部１７の厚み分しか突出していない。
【００５８】
（本実施形態の作用、効果）
続いて、本実施形態の作用、効果について説明する。
本実施形態において、外部機器と電気的に接続される外部接続端子１６の端子部１７は、蓄電素子群１１を収容するケース２０の開口した部分（開口部分２０Ａ）を覆うカバー２５の外側面に沿って配されるので外部接続端子１６の端子部１７はカバー２５から端子部１７の厚み分しか外側に突出しない。その結果、本実施形態によれば小型化した蓄電モジュール１０を提供することができる。
【００５９】
また、本実施形態によれば、外部接続端子１６の端子部１７は絶縁材料からなるカバー２５により支持されているので端子部１７はリード端子１３との間で絶縁性が保持されている。
【００６０】
特に、本実施形態によれば、端子部１７が絶縁材料からなる第１カバー２６と第２カバー２７とで挟まれるので部品点数を少なくしつつ、カバー２５の取り付け作業を簡易なものとすることができる。
【００６１】
また、本実施形態によれば、端子部１７は導電性の板材にナットを圧入することにより設けられ、端子部１７はリード端子１３と干渉しない位置に配されているから、端子部１７の構造を簡易なものとしつつ、端子部１７とリード端子１３との接触による短絡を防止することができる。
【００６２】
また、本実施形態によれば、蓄電素子１２のリード端子１３が形成された側縁に取り付けられる保持部材３２の端子部１７と対応する部分には、端子部１７に接続される相手方端子１９を逃がす凹部３９（逃がし部）が設けられているから、相手方端子１９とリード端子１３との接触を防止することができる。
【００６３】
さらに、本実施形態によれば、外部接続端子１６の端子部１７は、蓄電素子１２の積層方向に沿う面（前面）に配されているから、端子部１７が蓄電素子１２の積層方向に沿う面に収まる。
【００６４】
＜他の実施形態＞
本明細書で開示の技術は上記記述及び図面によって説明した実施形態に限定されるものではなく、例えば次のような実施形態であってもよい。
（１）上記実施形態では蓄電素子１２の積層方向に平行な方向（図４における上下方向）から取り付ける２枚のカバー（第１カバー２６および第２カバー２７）からなるカバー２５を示したが、これに限定されない。カバーは１枚あるいは３枚以上であってもよいし、蓄電素子の積層方向に対し交差する方向（例えば、積層方向に垂直な方向）から取り付ける構成であっても構わない。
【００６５】
（２）上記実施形態では導電性の板材にナットを圧入することにより設けた端子部１７を備える例を示したが、ナットは溶接等により板材に固定されていてもよいし、バーリング加工などによりナットを設けてもよい。
（３）上記実施形態では、保持部材３２の端子部１７と対応する部分に端子部１７に接続される相手方端子１９を逃がす凹部３９（逃がし部）が設けられている構成を示したが、逃がし部が設けられていないものであってもよい。
（４）上記実施形態では、外部接続端子１６の端子部１７が蓄電素子１２の積層方向に沿う面に配されている例を示したが、端子部は蓄電素子の積層方向と沿う面以外に配されていてもよい。たとえば、ケースの蓋部やケースの底部などのように、蓄電素子の積層方向と交差する面に配されていてもよい。このような場合、外部接続端子の端子部が配される部分は絶縁材料からなるカバーが取り付けられている必要がある。
【符号の説明】
【００６６】
１０…蓄電モジュール
１１…蓄電素子群
１２…蓄電素子
１３…リード端子
１３Ａ…正極リード端子
１３Ｂ…負極リード端子
１６…外部接続端子
１６Ａ…第１外部接続端子
１６Ｂ…第２外部接続端子
１７…端子部
１７Ａ…ナット部
１９…相手方端子
２０…ケース
２０Ａ…開口部分（端子部が配される部分）
２１…収容部
２３…蓋部
２５…カバー
２５Ａ…カバーの外側面
２６…第１カバー
２６Ｂ…挟持片
２７…第２カバー
２７Ｂ…挟持片
３０…積層体
３１…蓄電ユニット
３２…保持部材
３２Ａ…第１保持部材
３２Ｂ…第２保持部材
３２Ｃ…第３保持部材
３２Ｄ…第４保持部材
３９…凹部（逃がし部）
４１…バスバー
【図１】
0006331088.tif 000002
【図２】
0006331088.tif 000003
【図３】
0006331088.tif 000004
【図４】
0006331088.tif 000005
【図５】
0006331088.tif 000006
【図６】
0006331088.tif 000007
【図７】
0006331088.tif 000008
【図８】
0006331088.tif 000009
【図９】
0006331088.tif 000010
【図１０】
0006331088.tif 000011
【図１１】
0006331088.tif 000012
【図１２】
0006331088.tif 000013
【図１３】
0006331088.tif 000014
【図１４】
0006331088.tif 000015
【図１５】
0006331088.tif 000016